(57)【要約】【課題】用紙の搬送時間の変動に関わらずトナー像が転写領域に到達すると同時に転写電界を形成できるようにし、トナー像の先端部が像担持体に残留することによる回収トナー量の増加、像担持体の寿命の短縮、及び次の画像形成状態の劣化を防止する。【解決手段】制御部５００のＣＰＵ５０１は、感光体ドラム３１への露光装置３３による静電潜像の書込開始タイミングから所定時間ＴＢ１が経過した時に、転写ローラ３５Ａに転写電界を印加して転写領域３５Ｂに転写電界を形成する転写領域３５Ｂにおける転写電界の形成開始タイミングは、感光体ドラム３１に対する静電潜像の書込開始タイミングに対して常に一定にされ、用紙の搬送時間が変動してもトナー像の先端位置が転写領域３５Ｂに到達するタイミングに対して変動することがない。【選択図】図５
2008209531.tif 000002
【特許請求の範囲】
【請求項１】
トナー像を担持する像担持体と、
前記像担持体に静電潜像を書き込む画像書込ユニットと、
用紙搬送路中の転写領域で前記像担持体と対向する転写部材であって前記転写領域に転写電界を形成する転写部材と、
前記画像書込ユニットによる前記静電潜像の書込開始タイミングに基づいて前記転写部材による転写電界の形成開始タイミングを決定する制御部と、を備えた画像形成装置。
【請求項２】
前記転写部材は、単一の用紙にトナー像を転写する間にレベルの異なる転写電界を形成する請求項１に記載の画像形成装置。
【請求項３】
前記転写部材は、前記転写電界の形成開始時に用紙を前記像担持体に静電吸着させるための微弱電界を形成し、前記転写電界の形成開始タイミングから所定時間が経過した後に像担持体から用紙にトナー像を転写させるための適正電界を形成する請求項２に記載の画像形成装置。
【請求項４】
前記転写部材は、前記トナー像の先端部分及び用紙の先端部分が前記転写領域に到達するまでの間に前記微弱電界を形成する請求項３に記載の画像形成装置。
【請求項５】
前記所定時間は、用紙の先端部分に形成される無画像領域が前記転写領域を通過する時間よりも短い請求項３又は４に記載の画像形成装置。
【発明の詳細な説明】
【技術分野】
【０００１】
この発明は、転写電界によってトナー像を用紙に転写する転写工程を含む電子写真方式の画像形成処理を行う画像形成装置に関する。
【背景技術】
【０００２】
電子写真方式の画像形成処理は、感光体や中間転写ベルト等の像担持体からトナー像を用紙上に転写する転写工程を含む。画像形成装置は、用紙を搬送する用紙搬送路の一部に、像担持体と転写部材とが対向する転写領域を設けている。転写工程時には、用紙が通過中の転写領域に転写電界が形成される。トナー像を担持する像担持体の表面は、用紙とともに転写領域を移動する。用紙の適正な位置にトナー像を転写して画像の欠落を防止するためには、転写領域で用紙の先端部分とトナー像の先端部分（「トナー像の先端部分」とは、「像担持体の表面において、トナー像が転写される用紙の先端部分に一致すべき部分」をいう。）とを一致させる必要がある。
【０００３】
画像形成装置では、用紙搬送路中における転写領域の直前にレジストローラが配置されており、像担持体上のトナー像の先端部分が転写領域に達する前に用紙の搬送を開始する。用紙は、回転を停止しているレジストローラに先端を当接させて一旦停止する。この時、用紙の斜行が矯正される。レジストローラに用紙が到達した状態を検出した後に、レジストローラの回転（再回転）が開始され、用紙が転写領域に向けて搬送される。
【０００４】
従来の画像形成装置では、レジストローラの再回転の開始タイミングを基準に、像担持体に対する画像書込開始タイミング、及び転写部材への転写電圧の印加開始タイミングを決定するようにしたものがある（例えば、特許文献１参照。）。
【０００５】
用紙の先端部分が転写領域に到達すると同時に、像担持体上のトナー像の先端部分が転写領域に達するように、所定のタイミングで像担持体に対する画像の書込が開始される。また、用紙の先端部分が転写領域に到達すると同時に、転写領域に転写電界が形成される。したがって、レジストローラの再回転が開始された後に、像担持体への画像の書込が開始される。
【０００６】
しかし、レジストローラの再回転の開始後に像担持体に対する画像の書込を開始したのでは、画像形成処理速度の高速化に伴って用紙の搬送速度が高速化した場合には、用紙の先端が転写領域に到達すると同時にトナー像の先端を転写領域に到達させることができない。
【０００７】
このため、用紙の搬送開始タイミングを基準に、レジストローラの再回転開始前に、像担持体への画像の書込を開始するようにしたものがある。
【特許文献１】特開平１０−１４２８７１号公報
【発明の開示】
【発明が解決しようとする課題】
【０００８】
レジストローラの再回転開始前に像担持体への画像の書込が開始される場合、レジストローラの再回転開始タイミングに基づいて転写部材への転写電圧の印加開始タイミングを決定すると、用紙に画像の欠落を生じる可能性がある。用紙の搬送開始後に用紙の搬送時間が変動すると、レジストローラの再回転開始タイミングも変動し、再回転開始タイミングを基準に決定された転写電圧の印加開始タイミングがトナー像の転写領域への到達タイミングに一致しなくなるためである。
【０００９】
用紙の搬送時間が短くなると、転写領域へのトナー像の到達タイミングよりも早く転写電圧が印加され、トナー像の後端部が用紙に転写されなくなる。用紙の搬送時間が長くなると、転写領域へのトナー像の到達タイミングよりも遅れて転写電圧が印加され、トナー像の先端部が用紙に転写されなくなる。特に、用紙の変形等によって搬送速度が低下して用紙の搬送時間が長くなった場合、トナー像の先端部が像担持体に残留し、回収トナー量が増加してメンテナンスの頻度が高まるだけでなく、像担持体の寿命の短縮や次の用紙に対する画像形成状態の劣化を招く。
【００１０】
この発明の目的は、転写部材への転写電圧の印加開始タイミングを像担持体への画像書込開始タイミングに基づいて決定することにより、用紙の搬送時間の変動に関わらずトナー像が転写領域に到達すると同時に転写電界を形成できるようにし、トナー像の先端部が像担持体に残留することによる回収トナー量の増加、像担持体の寿命の短縮、及び次の用紙に対する画像形成状態の劣化を防止できる画像形成装置を提供することにある。
【課題を解決するための手段】
【００１１】
この発明の画像形成装置は、像担持体、画像書込ユニット、転写部材、制御部を備えている。像担持体は、トナー像を担持する。画像書込ユニットは、像担持体に静電潜像を書き込む。転写部材は、用紙搬送路中の転写領域で像担持体と対向し、転写領域に転写電界を形成する。制御部は、画像書込ユニットによる静電潜像の書込開始タイミングに基づいて転写部材による転写電界の形成開始タイミングを決定する。
【００１２】
この構成では、転写部材が転写領域での転写電界の形成を開始するタイミングが、画像書込ユニットが像担持体に対する静電潜像の書込を開始するタイミングに基づいて決定される。したがって、転写領域における転写電界の形成開始タイミングは、像担持体に対する静電潜像の書込開始タイミングに対して常に一定にされ、用紙の搬送時間が変動しても、トナー像の先端位置が転写領域に到達するタイミングに対して変動することがない。
【００１３】
この構成において、転写部材は、単一の用紙にトナー像を転写する間にレベルの異なる転写電界を形成するものとしてもよい。例えば、転写部材は、転写電界の形成開始時に用紙を像担持体に静電吸着させるための微弱電界を形成し、転写電界の形成開始タイミングから所定時間が経過した後に像担持体から用紙にトナー像を転写させるための適正電界を形成する。用紙が像担持体の表面に確実に吸着した状態で、トナー像の転写を開始させることができる。
【００１４】
転写部材は、トナー像の先端部分及び用紙の先端部分が転写領域に到達するまでの間に微弱電界を形成するものとしてもよい。像担持体に吸着させるべき用紙の先端部分が転写領域に到達する前に転写領域に微弱電界を形成しておくことにより、用紙の先端部分を確実に像担持体の表面に吸着させることができる。
【００１５】
所定時間は、用紙の先端部分に形成される無画像領域が転写領域を通過する時間よりも短くしてもよい。用紙の先端部分の無画像領域が転写領域を通過する前に転写領域に適正電界が形成される。無画像領域は画像形成装置に固有の長さで予め設定されており、像担持体の表面において無画像領域に対向する部分にはトナー像が形成されることはない。したがって、トナー像の先端部分が転写領域に到達した時には転写領域には適正電界の転写電界が形成されており、像担持体が担持するトナー像の全てが用紙に向けて転写され、像担持体にトナー像が残留することがない。
【発明の効果】
【００１６】
この発明によれば、転写領域における転写電界の形成開始タイミングを、像担持体に対する静電潜像の書込開始タイミングに対して常に一定にし、用紙の搬送時間が変動しても、トナー像の先端位置が転写領域に到達するタイミングに対して変動することを防止できる。用紙の搬送時間の変動に関わらずトナー像が転写領域に到達すると同時に転写電界を形成でき、トナー像の先端部が像担持体に残留することによる回収トナー量の増加、像担持体の寿命の短縮、及び次の画像形成状態の劣化を防止できる。
【発明を実施するための最良の形態】
【００１７】
以下に、この発明の最良の実施形態に係る画像形成装置を図面を参照しつつ詳細に説明する。
【００１８】
図１は、この発明の実施形態に係る画像形成装置の正面断面の略図である。この発明の画像形成装置１００は、スキャナ部２００、画像形成部３００、給紙部４００から構成されている。
【００１９】
スキャナ部２００は、自動原稿搬送装置（ＡＤＦ:Automatic Document Feeder）２０１、第１原稿台２０２、第２原稿台２０３、第１ミラーベース２０４、第２ミラーベース２０５、レンズ２０６及び固体撮像素子（ＣＣＤ:Charge Coupled Device）２０７を備えている。
【００２０】
ＡＤＦ２０１は、原稿トレイ２１１から第２原稿台２０３を経由して排出トレイ２１２に至る間に原稿を１枚ずつ搬送する。ＡＤＦ２０１は、第１原稿台２０２の上面を開閉自在に被覆するように、背面側を支点に回動自在にされている。前面側が上方に移動するようにＡＤＦ２０１を回動させて第１原稿台２０２の上面を露出させることにより、手動操作によって第１原稿台２０２に原稿を載置することができる。
【００２１】
第１原稿台２０２及び第２原稿台２０３は、ともに硬質ガラス板によって構成されている。第１ミラーベース２０４及び第２ミラーベース２０５は、第１原稿台２０２及び第２原稿台２０３の下方において水平方向に移動自在にされている。第２ミラーベース２０５の移動速度は、第１ミラーベース２０４の移動速度の１／２にされている。第１ミラーベース２０４は、光源及び第１ミラーを搭載している。第２ミラーベース２０５は、第２ミラー及び第３ミラーを搭載している。
【００２２】
ＡＤＦ２０１によって搬送される原稿の画像を読み取る際には、第１ミラーベース２０４は、第２原稿台２０３の下方に停止している。光源の光は、第２原稿台２０３上を通過する原稿の画像面に向けて照射され、原稿の画像面における反射光が第１ミラーによって第２ミラーベース２０５に向けて反射される。
【００２３】
第１原稿台２０２に載置された原稿の画像を読み取る際には、第１ミラーベース２０４及び第２ミラーベース２０５は、第１原稿台２０２の下方を水平方向に移動する。光源の光は、第１原稿台２０２上に載置された原稿の画像面に向けて照射され、原稿の画像面における反射光が第１ミラーによって第２ミラーベース２０５に向けて反射される。
【００２４】
ＡＤＦ２０１を用いるか否かに拘らず、原稿の画像面における反射光は、光路長を一定にして、第２ミラー及び第３ミラーによってレンズ２０６を経由してＣＣＤ２０７に入射する。
【００２５】
ＣＣＤ２０７は、原稿の画像面における反射光の光量に応じた電気信号を出力する。この電気信号は、ディジタルデータに変換された後に画像データとして画像形成部３００に入力される。
【００２６】
画像形成部３００は、プロセス部３０を構成する感光体ドラム３１、帯電器３２、露光装置３３、現像装置３４、転写ベルト３５、クリーナ３６及び定着装置３７を備えている。感光体ドラム３１は、この発明の像担持体であり、表面に感光層が形成されており、矢印方向に回転する。
【００２７】
定着装置３７は、加熱ローラ３７Ａ及び加圧ローラ３７Ｂを備えている。加熱ローラ３７Ａは、内部のヒータによってトナーを溶融可能な温度に加熱される。加圧ローラ３７Ｂは、加熱ローラ３７Ａに所定の圧力で圧接するように付勢されている。定着装置３７は、加熱ローラ３７Ａと加圧ローラ３７Ｂとの間を通過する用紙を加熱及び加圧することにより、トナー像を用紙に定着させる。定着装置３７を通過した用紙は、画像記録装置１００の一方の側面に装着された排紙トレイ３８に排出される。
【００２８】
帯電器３２、露光装置３３、転写ベルト３５、クリーナ３６の詳細については後述する。
【００２９】
給紙部４００は、この発明の給紙部であり、給紙カセット４０１，４０２，４０３，４０４及び手差しトレイ４０５を備えている。給紙カセット４０１，４０２，４０３，４０４のそれぞれには、同じサイズの複数枚の用紙が収納される。手差しトレイ４０５には、使用頻度の低いサイズや紙質の用紙が載置される。
【００３０】
給紙部４００は、給紙カセット４０１，４０２，４０３，４０４又は手差しトレイ４０５の何れかから１枚ずつ用紙を給紙する。給紙部４００から給紙された用紙は、用紙搬送路１０を経由してプロセス部３０に搬送される。
【００３１】
図２は、画像形成装置のプロセス部の詳細を示す図である。プロセス部３０には、感光体ドラム３１の周囲に感光体ドラム３１の回転方向に沿って、帯電器３２、露光装置３３、現像装置３４、転写ベルト３５、クリーナ３６がこの順に配置されている。
【００３２】
帯電器３２は、感光体ドラム３１の表面を所定の電位に均一に帯電させる。帯電器３２は、チャージャによる非接触方式、又は、ローラ若しくはブラシによる接触方式の何れを用いてもよい。
【００３３】
露光装置３３は、この発明の画像書込ユニットであり、感光体ドラム３１の表面に画像データに基づく光を照射する。これによって、感光体ドラム３１の表面には、感光層における光導電作用によって静電潜像が形成される。露光装置３３は、画像データに基づいて変調されたレーザ光をポリゴンミラーを介して感光体ドラム３１の軸方向に走査する。これに代えて、ＥＬやＬＥＤ等の発光素子をアレイ状に配置した露光装置を用いることもできる。
【００３４】
現像装置３４は、感光体ドラム３１の表面にトナーを供給し、静電潜像をトナー像に可視像化する。
【００３５】
転写ベルト３５は、感光体ドラム３１の下方において複数のローラ間にループ状に張架されており、１×１０9 〜１×１０13Ω・ｃｍ程度の抵抗値を有する。転写ベルト３５のループ状の移動経路の内側には、転写ベルトを挟んで感光体ドラム３１に圧接する転写ローラ３５Ａが備えられている。転写ローラ３５Ａには、所定の転写電圧が印加される。転写ローラ３５Ａは、この発明の転写部材であり、用紙搬送路１１中で感光体ドラム３１と対向する領域である転写領域３５Ｂに転写電界を形成する。転写ベルト３５と感光体ドラム３１との間を通過する用紙に、感光体ドラム３１が担持するトナー像が転写される。転写ベルト３５には、クリーナ３５Ｃが備えられている。クリーナ３５Ｃは、転写ベルト３５の表面に付着した紙粉等の塵埃やトナーを、転写ベルト３５の表面から除去する。
【００３６】
クリーナ３６は、用紙に対するトナー像の転写を終えた感光体ドラム３１の表面から、残留しているトナーを除去する。
【００３７】
剥離爪４１は、転写領域３５Ｂを通過した用紙を感光体ドラム３１の表面から剥離する。
【００３８】
用紙搬送路１０内には、レジストローラ３９及びレジスト前ローラ４０が配置されている。給紙部４００から給紙された用紙は、レジスト前ローラ４０及びレジストローラ３９を順に経由して転写領域３５Ｂに搬送される。
【００３９】
用紙搬送路１０内のレジスト前ローラ４０とレジストローラ３９との間には、用紙センサ４２が配置されている。用紙センサ４２は、用紙搬送路１０内を搬送される用紙を検出して検出信号を出力する。
【００４０】
図３は、上記画像形成装置の制御部のブロック図である。制御部５００は、ＲＯＭ５０２及びＲＡＭ５０３を備えたＣＰＵ５０１に、操作パネルコントローラ５０４、画像処理部５０５、モータドライバ５０６〜５０９、電源用ドライバ５１０、用紙センサ４２等を接続して構成されている。
【００４１】
ＲＯＭ５０２には、ＣＰＵ５０１の動作を規定するプログラムが予め格納されている。ＣＰＵ５０１は、ＲＯＭ５０２に格納されているプログラムに従って、ドライバ等を統括して制御する。ＲＡＭ５０３は、ＣＰＵ５０１に入出力されるデータを一時的に記憶する。
【００４２】
操作パネルコントローラ５０４には、画像形成装置１００の本体上面に配置された操作パネル内のキースイッチ５１２が接続されている。キースイッチ５１２は、画像形成条件の設定入力を受け付け、操作信号を操作パネルコントローラ５０４に入力する。操作パネルコントローラ５０４は、キースイッチ５１２の操作信号に応じた操作データをＣＰＵ５０１に入力する。
【００４３】
画像処理部５０５は、スキャナ部２００で読み取られた原稿の画像データ、及び外部装置から入力された画像データに対して所定の画像処理を施し、露光装置３３に出力する。露光装置３３は、入力された画像データに基づく画像光を感光体ドラム３１に照射する。
【００４４】
用紙センサ４２は、用紙搬送路１０中のレジスト前ローラ４０とレジストローラ３９との間で用紙を検出し、検出信号をＣＰＵ５０１に入力する。
【００４５】
モータドライバ５０６〜５０９には、それぞれモータＭ１〜Ｍ４が接続されている。モータＭ１〜Ｍ４は、それぞれ感光体ドラム３１、給紙ローラ４３、レジストローラ３９、レジスト前ローラ４０に回転を供給する。モータドライバ５０６〜５０９は、ＣＰＵ５０１から供給された駆動データに基づいてモータＭ１〜Ｍ４を駆動する。
【００４６】
電源用ドライバ５１０には、転写ローラ３５Ａに電圧を印加する電源ユニット５１３が接続されている。電源用ドライバ５１０は、ＣＰＵ５０１から供給される駆動データに基づいて電源ユニット５１３を駆動して転写ローラ３５Ａに所定の電圧を印加させる。
【００４７】
図４は、上記制御部の処理手順の一部を示すフローチャートである。ＣＰＵ５０１は、画像形成装置１００に電源が投入されると、所定のウォーミングアップを実行した後、操作パネルにおけるスタートキーの操作による画像形成要求の入力、又は外部装置からの画像形成要求の入力を待機している（Ｓ１）。
【００４８】
画像形成要求が入力されると、ＣＰＵ５０１は、ＲＡＭ５０３のメモリエリアＭＡ１に割り当てられているタイマＴＡを起動し（Ｓ２）、モータＭ１を駆動して感光体ドラム３１の前回転処理を行うとともに（Ｓ３）、モータＭ２を駆動して用紙の給紙を開始する（Ｓ４）。ＣＰＵ５０１は、給紙開始から所定時間ＴＡ１が経過するとモータＭ４を駆動してレジスト前ローラ４０の回転を開始し（Ｓ５，Ｓ６）、さらに給紙開始から所定時間ＴＡ２が経過するとモータＭ３を駆動してレジストローラ３９を短時間にわたって回転させる（Ｓ７，Ｓ８）。この後、用紙の先端がレジスト前ローラ４０を通過し、用紙センサ４２が用紙の先端を検出すると、ＣＰＵ５０１は、モータＭ３を駆動してレジストローラ３９を再回転させる（Ｓ９，Ｓ１０）。
【００４９】
ＣＰＵ５０１は、用紙の搬送状態とは無関係に、給紙開始から所定時間ＴＡ３が経過した時に、画像処理部５０５を介して露光装置３３による画像光の照射、即ち感光体ドラム３１への画像の書込を開始する（Ｓ１１，Ｓ１２）。この時、ＣＰＵ５０１は、ＲＡＭ５０３のメモリエリアＭＡ２に割り当てられているタイマＴＢをオンする（Ｓ１３）。
【００５０】
ＣＰＵ５０１は、感光体ドラム３１への画像の書込開始から所定時間ＴＢ１が経過した時に、所定時間ＴＢ２にわたって電源用ドライバ５１０を介して電源ユニット５１３を駆動し、転写ローラ３５Ａに電圧を印加する（Ｓ１４，Ｓ１５）。
【００５１】
所定時間ＴＢ１は、感光体ドラム３１の表面が露光位置（露光ユニット３３から画像の書込を受ける位置）から転写領域３５Ｂに達するまでの時間である。所定時間ＴＢ２は、感光体ドラム３１上の１頁分のトナー像の先端が転写領域３５Ｂを通過した時からこのトナー像の後端が転写領域３５Ｂを通過するまでの時間である。
【００５２】
ＣＰＵ５０１は、所定時間ＴＢ２が経過すると転写ローラ３５Ａに対する転写電圧の印加を終了し（Ｓ１６，Ｓ１７）、画像形成要求に係る画像データがなくなるまでＳ２〜Ｓ１７の処理を繰り返し実行する（Ｓ１８）。
【００５３】
図５は、上記画像形成装置の各部の動作を示すタイミングチャートである。図４に示した処理により、画像形成要求に応じて給紙ローラ４１によって給紙動作が開始された時から所定時間が経過した時である露光ユニット３３による画像の書込開始タイミングを基準に、時間ＴＢ１が経過した時に転写ローラ３５に対する転写電圧の印加が開始される。時間ＴＢ１は、感光体ドラム３１の表面が露光位置から転写領域３５Ｂに達するまでに要する時間である。
【００５４】
したがって、用紙の搬送状態に関わらず、感光体ドラム３１のトナー像の先端部が転写領域３５Ｂに到達した時に転写領域３５Ｂに転写電界が形成され、トナー像が確実に感光体ドラム３１の表面から移動する。用紙の搬送が遅延している場合、トナー像の先端部は用紙に転写されず、転写ベルト３５の表面に転写される。トナー像の先端部のトナーが感光体ドラム３１の表面に残留することがなく、次の画像形成に悪影響を与えたり、回収トナー量が増加することがない。また、感光体ドラム３１が早期に劣化することもない。転写ベルト３５の表面は、クリーナ３５Ｃによって清掃させるため、後に搬送される用紙の裏面を汚損することはない。
【００５５】
図６は、この発明の別の実施形態に係る画像形成装置における転写電圧の印加開始タイミングを示す図である。この例では、図６（Ａ）に示すように、転写ローラ３５Ａにより、転写領域３５Ｂに転写電界を形成する場合に、先ず用紙６００の先端部を感光体ドラム３１の表面に静電球着させるための微弱電界を形成させ、次いで、感光体ドラム３１の表面のトナー像を用紙６００に転写させるための電車電界を形成させる。
【００５６】
転写ローラ３５Ａに、微弱電界を形成させる時には例えば１μＡの電流を供給し、転写電界を形成させる時には例えば４０μＡの電流を供給する。
【００５７】
１頁分の画像データの先端部分には画像が形成されない先端ボイド部６０１が存在する。先端ボイド部６０１が転写領域３５Ｂを通過する期間の範囲内で微弱電界が形成される。微弱電界の形成時間ＴＣは、先端ボイド部６０１の長さに応じて、先端ボイド部６０１が転写領域３５Ｂを通過するために要する時間よりも短い時間内で変化させることができる。
【００５８】
トナー像が存在する部分が転写領域３５Ｂに到達した時点では、転写領域３５Ｂにはトナー像を感光体ドラム３１上から用紙６００に転写させるために十分な強度の転写電界が形成されている。トナー像を用紙６００上に確実に転写させることができる。転写電界の形成開始タイミングは、感光体ドラム３１への画像書込開始タイミングを基準に決定されるため、図６（Ｂ）に示すように用紙６００の搬送タイミングが早まった場合や、図６（Ｃ）に示すように用紙６００の搬送タイミングが遅延した場合でも、トナー像が転写領域３５Ｂに到達した時点では転写領域３５Ｂには十分な強度の転写電界が形成されており、トナー像は感光体ドラム３１の表面から確実に転写される。
【００５９】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６０】
【図１】この発明の実施形態に係る画像形成装置の正面断面の略図である。
【図２】同画像形成装置のプロセス部の詳細を示す図である。
【図３】同画像形成装置の制御部のブロック図である。
【図４】同制御部の処理手順の一部を示すフローチャートである。
【図５】同画像形成装置の各部の動作状態を示すタイミングチャートである。
【図６】この発明の別の実施形態に係る画像形成装置における転写電圧の印加開始タイミングを示す図である。
【符号の説明】
【００６１】
３０  プロセス部
３１  感光体ドラム（像担持体）
３５  転写ベルト
３５Ａ  転写ローラ（転写部材）
３５Ｂ  転写領域
１００  画像形成装置
【図１】
2008209531.tif 000003
【図２】
2008209531.tif 000004
【図３】
2008209531.tif 000005
【図４】
2008209531.tif 000006
【図５】
2008209531.tif 000007
【図６】
2008209531.tif 000008